(57)【要約】【課題】デジタル複写機から出力された記録紙が、オリジナルのものか、偽造品（オリジナルのコピー品）であるかを判別し、偽造が問題となるプリントの作成、管理を容易にするデジタル複写機を提供する。【解決手段】記録紙に埋め込まれたデジタルデータ格納素子７からのデータを読み取るデジタルデータ格納素子読み取り手段１３と、前記読み取られたデータを、そのまま、あるいは暗号化して記録紙上のパターンに変換するとともに前記変換されたパターンを記録紙上に記録する記録手段１４とを有する。【選択図】      図４
2004198516.tif 000002
【特許請求の範囲】
【請求項１】
記録紙に埋め込まれたデジタルデータ格納素子からのデータを読み取るデジタルデータ格納素子読み取り手段と、前記読み取られたデータを、そのまま、あるいは暗号化して記録紙上のパターンに変換するとともに前記変換されたパターンを感光体上に記録する記録手段と、を有することを特徴とするデジタル複写機。
【請求項２】
前記記録紙上に記録されたバーコードを読み取るバーコード読み取り手段と、該バーコード読み取り手段で読み取られたデータと前記デジタルデータ格納素子読み取り手段で読み取られたデータとを比較して、記録された記録紙がオリジナルの記録紙か否かを判別する判別手段と、を有することを特徴とする請求項１記載のデジタル複写機。
【請求項３】
回線手段によって、管理センターから取り寄せたライセンスコードと、前記記録紙に埋め込まれたデジタルデータ格納素子のＩＤコードとを組み合わせた暗号コードを記録紙上に記録する暗号コード記録手段と、暗号解読に必要な一部データを前記回線手段によって管理センターに登録する登録手段と、を有することを特徴とする請求項１記載のデジタル複写機。
【発明の詳細な説明】
【０００１】
【発明の属する技術分野】
本発明は、デジタル複写機に関し、特に複写される画像の偽造防止技術に関するものである。
【０００２】
【従来の技術】
最近のデジタル複写機、とくに高級機は、画像偽造防止機能を付加したものが主流になっている。このような画像偽造防止機能を付加したデジタル複写機に関連する従来技術として、記録紙にＩＤパターンを印刷する技術が特開平０６−０８６０６２号公報等で開示されている。
【特許文献１】特開平０６−０８６０６２号公報
【０００３】
【発明が解決しようとする課題】
複写機においては、通常、プリントアウト画像は何枚でも複製でき、特定のプリントアウトを指定することが困難であった。このため、ネットワーク等を通じてチケット類を出力しても何枚でも複製できるため特定のチケットとして一枚を特定することができず、システムとしても普及していない。
つまり画像をプリントアウトした場合、それを再びコピーされたものとの区別をして、オリジナルプリントアウトの偽造を防止する。特開平０６−０８６０６２号公報等に偽造防止に関する技術が開示されているが、カラーパターンをプリントすることによる識別のため、精度、応用に限界がある。
本発明の目的は、この欠点を解消するために、デジタル複写機から出力された記録紙が、オリジナルのものか、偽造品（オリジナルのコピー品）であるかを判別し、偽造が問題となるプリントの作成、管理を容易にするデジタル複写機を提供することにある。
【０００４】
【課題を解決するための手段】
前記目的を達成するために、請求項１記載の発明は、記録紙に埋め込まれたデジタルデータ格納素子からのデータを読み取るデジタルデータ格納素子読み取り手段と、前記読み取られたデータを、そのまま、あるいは暗号化して記録紙上のパターンに変換するとともに前記変換されたパターンを感光体上に記録する記録手段と、を有することを特徴とする。
請求項２記載の発明は、前記記録紙上に記録されたバーコードを読み取るバーコード読み取り手段と、該バーコード読み取り手段で読み取られたデータと前記デジタルデータ格納素子読み取り手段で読み取られたデータとを比較して、記録された記録紙がオリジナルの記録紙か否かを判別する判別手段と、を有することを特徴とする。
請求項３記載の発明は、回線手段によって、管理センターから取り寄せたライセンスコードと、前記記録紙に埋め込まれたデジタルデータ格納素子のＩＤコードとを組み合わせた暗号コードを記録紙上に記録する暗号コード記録手段と、暗号解読に必要な一部データを前記回線手段によって管理センターに登録する登録手段と、を有することを特徴とする。
【０００５】
【発明の実施の形態】
以下、図面により本発明の実施の形態を詳細に説明する。図１は基本的なデジタル複写機の構成を示す概略ブロック図である。図１のデジタル複写機において、原稿の画像をＣＣＤ等の読み取り装置１で読み取り、デジタル信号に変換する。このデジタルデータは受け取ったエンジン制御部２で画像処理され、コントローラ部３に送られる。
このデジタルデータは、コントローラ部３で、ハードディスク等の記憶装置に格納されたり、ネットワークを経由して外部へ接続されたりする。回転、変倍等の処理もこのブロックでなされることが多い。
格納された画像データは再び読み出され、エンジンボード上で画像処理された後、書き込み装置４に送られる。この書込み装置４において、レーザダイオード（ＬＤ）等の手段により、感光体ドラムに書き込まれ、これが給紙部５からの記録紙に転写され、画像が形成される。
図２は識別チップを埋め込んだ記録紙を示す概略図である。図において、記録紙（コピー用紙）６上にＩＤ（識別）チップ７が、この場合に、記録紙６の４隅に埋め込まれており、これによってＩＤ番号を管理する。最近の技術の進歩によって、１mm角以下の、微小ＩＤチップが開発されてきている（例えば、日立のミューチップ）。
図３はＩＤチップの内部構成を示す概略図である。ＩＤチップ７の内部には微小アンテナ８があり、ここで、外部からの読み出し要求電波を受け取る。読み出し要求は、ＩＤカード格納部９に送られる。
このＩＤコード格納部９は読み出し制御部１０とＲＯＭ部１１とに別れている。ＲＯＭ部１１は、６４〜１２８ｂｉｔ 程度で、内容は、製造時に書き込まれる。
読み出し要求を受けるとＲＯＭ部１１の内容が読み出されアンテナ８から電波として送られる。
この微小ＩＤチップ７が記録紙６内に埋め込まれる。微小チップであるので、ユーザは、どの部分にどのように埋め込まれているのかを知ることはできない。
【０００６】
図４は記録紙に画像を書き込む構成を示す概略図である。この場合に記録紙６はＩＤチップ対応記録紙の専用トレイ（給紙部）から搬送されてくる。感光体ドラム１２の手前にあるＩＤチップ検知装置１３でＩＤチップに対し読み出し要求を出し、返ってくるＩＤコードを読み取る。
このＩＤコードは書き込み制御装置１４に送られる。この書込み制御装置１４でこのＩＤコードを暗号化し、バーコード等のパターンを発生させ、感光体ドラム１２上に書き込む。このパターンは、記録紙６が、感光体ドラム１２と転写ベルト１５間を通過するさいに記録紙６に転写（記録）される。
図５はＩＤチップおよびバーコードを有する記録紙（コピー用紙）を示す概略図である。図のようにＩＤチップ７が埋め込まれ、バーコード１６が印刷されると、記録紙６上のＩＤコードと、記録紙６上のバーコード等のパターンに対応がとれることになる。
もしこの出力をＩＤコード付き記録紙６に、再びコピーしたとしても、ＩＤコードとバーコード１６との対応が、１対１で取れなくなるので、偽造品であることが分かる。
このようにして、オリジナル出力を作成することができるので、プリンタ、デジタル複写機で、チケットのごとき偽造されたら困る印刷物をプリントアウトすることが可能である。
図６はデジタル複写機から出力された記録紙がオリジナル出力であるか否かを判別する判別装置を示す概略図である。図において、判別装置としてデジタル複写機のスキャナが使用される。
スキャナキャリッジ１７上にはランプ１８、原稿の反射光をＣＣＤへと導くミラー１９等があり、原稿の副走査方向に向かってスキャンする。このようにしてコンタクトガラス２０上の原稿の画像を読み取るのであるが、この時同時にバーコードを読み取り、画像処理、認識部でバーコードを判別する。
一方このスキャナには、ＩＤチップのデータを検知し読み取るＩＤチップ検知（読み取り）装置１３が備わっていてスキャナと同時に走査される。ＩＤチップのデータ検知装置１３は記録紙６上のＩＤチップ７の下を順次スキャンして記録紙６全体を調べ、ＩＤコードを読み取る。
読み取られたＩＤコードと前述したバーコード（図５の１６）を比較して、一致（そのまま一致、或いは暗号を解読した結果一致）した場合は、オリジナル記録紙と判別する。
【０００７】
図７は図６の判別装置における判別手順を説明するブロック図である。図７において、記録紙（コピー用紙）６から画像読み取り装置２１により画像を読み取り、画像格納装置２２に格納し、このとき同時にバーコード読み取り装置２３によりバーコードを読み取る。
一方、ＩＤコード検知装置１３が操作され、記録紙６全体を調べてコードを読み取ってＩＤデータを検知する。読み取られたＩＤコードと前述したバーコードを比較装置２４で比較する。
本実施の形態では、デジタル複写機のスキャナを使って判別する方法について説明している。この方式のメリットは、図４において説明した記録方式とワンセットで、一つの装置内に収めることができることである。また、プリントアウトした画像を再びスキャナで読み取り、確かにこの装置でプリントアウトしたということを即時にネットワーク経由で、チケット等の管理元に知らせることが可能になる。
図８は複写機と管理センターとの関係を示す概略図である。この図では、プリント情報を管理する管理センター２５と外部ネットワーク２６で接続し、プリント出力と管理センター２５の情報を１対１で管理する方式について述べる。
チケット等の発行枚数が限られている場合、どのマシンで何枚プリントされたかを確実に管理する必要がある。チケットを判別装置で読み取った時、即座にどのマシンで印刷（発行）されたものかが分かれば、枚数を管理センター２５で一元管理でき、偽造も不可能になるので非常に便利になる。
複写機（デジタル複写機）Ａのコントローラ部３は、ＬＡＮ接続により、サーバ２７に接続される。このサーバ２７はルータ（ファイアウオール）２８を経由して外部で出て行き、管理センター２５と接続される。
この方式の良いところは、顧客が管理するサーバ２７、ファイアウオール２８を経由するため、複写機Ａと管理センター２５を結ぶ時、顧客の情報のセキュリティが問題になることは少ない。一般的に管理センター２５と結ぶシステムを作る時、ＬＡＮ内部を通過することを拒絶する顧客が多いためこの方式が望ましい。
【０００８】
図９は顧客が複写機でチケットを受け取ろうとした場合の管理センターとの交信を説明するブロック図である。図１０は図９のブロック図を説明するフローチャートである。
顧客が複写機Ａでチケットを受け取ろうとした場合、管理センター２５に向けて、発行ライセンスの取得を要求する（Ｓ１）。管理センター２５からは、ライセンスが複写機Ａに対して付与される（Ｓ２）。
複写機Ａは、記録紙のＩＤチップのコードを読み取り（Ｓ３）、受け取ったライセンス番号を、「読み取られたIDチップの値」を使って暗号化し（Ｓ４）、バーコードとして記録紙に記録する（Ｓ５）。その後、暗号キーであるＩＤコードを管理センター２５に対して通知する。これで一連の発券作業は完了する。
図１１は記録紙に記録されたチケットが本物であるか否か判別する手順を説明するフローチャートである。チケットが本物か否か判別する立場では、以下のような手順を踏んで、記録紙に記録されたチケットが本物であるか否か判別する。
まず、記録紙上のバーコードを読み取る（Ｓ１０）。続いて記録紙上のＩＤチップコードを読み取る（Ｓ１１）。ＩＤコードを元に、管理センター２５からライセンスナンバーを取り寄せ（Ｓ１２）、ＩＤコードが一致したら（Ｓ１３）、バーコードの暗号解読を行う（Ｓ１４）。
暗号解読結果とライセンス番号と一致した場合（Ｓ１５）は記録紙が確かに登録されたチケットと同一のものになる。なお、Ｓ１３でＩＤコードが不一致ならば、コピー品と判定し、またＳ１５でライセンス番号が不一致ならば、コピー品と判定する。このようにして、管理センター２５側で特定のプリントアウトを確実に管理することができるようになる。
【０００９】
【発明の効果】
以上説明したように、請求項１によれば、プリントアウトされた画像が、管理されたオリジナルのものか、複製（コピー）品であるかの区別ができるようになるので、チケット等の販売、配布がネットワークを通して可能になる。
請求項２によれば、デジタル複写機のスキャナを通して、記録紙がオリジナル品か、偽造品かの判別ができるようになる。
請求項３によれば、管理センターで管理するライセンス番号と出力画像の１対１対応での管理が可能になる。
【図面の簡単な説明】
【図１】基本的なデジタル複写機の構成を示す概略ブロック図である。
【図２】識別チップを埋め込んだ記録紙を示す概略図である。
【図３】ＩＤチップの内部構成を示す概略図である。
【図４】記録紙に画像を書き込む構成を示す概略図である。
【図５】ＩＤチップおよびバーコードを有する記録紙（コピー用紙）を示す概略図である。
【図６】デジタル複写機から出力された記録紙がオリジナル出力であるか否かを判別する判別装置を示す概略図である。
【図７】図６の判別装置における判別手順を説明するブロック図である。
【図８】複写機と管理センターとの関係を示す概略図である。
【図９】顧客が複写機でチケットを受け取ろうとした場合の管理センターとの交信を説明するブロック図である。
【図１０】図９のブロック図を説明するフローチャートである。
【図１１】記録紙に記録されたチケットが本物であるか否か判別する手順を説明するフローチャートである。
【符号の説明】
１  読み取り装置
２  エンジン制御部
３  コントローラ部
４  書き込み装置
６  記録紙
７  ＩＤチップ（デジタルデータ格納素子）
１３  ＩＤコード検知装置（デジタルデータ格納素子読み取り手段）
１４  書き込み制御装置（記録手段）
１５  転写ベルト
２１  画像読み取り装置
２３  バーコード読み取り装置(バーコード読み取り手段)
２４  比較装置（判別手段）
２５  管理センター
２６  外部ネットワーク（回線手段）
Ａ  複写機
【図１】
2004198516.tif 000003
【図２】
2004198516.tif 000004
【図３】
2004198516.tif 000005
【図４】
2004198516.tif 000006
【図５】
2004198516.tif 000007
【図６】
2004198516.tif 000008
【図７】
2004198516.tif 000009
【図８】
2004198516.tif 000010
【図９】
2004198516.tif 000011
【図１０】
2004198516.tif 000012
【図１１】
2004198516.tif 000013